(57)【要約】【課題】左右両側の仕切り壁同士の間隔を長手方向全域にわたり同じに保ち、仕切り壁が一体成型する工程の間に傾くことを防止可能な半プレハブ式壁の提供。【解決手段】離れて設置された左右両側に仕切り壁１、７を有し、仕切り壁１、７は格子ラック２、６を備え、格子ラック２、６は一部が仕切り壁に内蔵され、他部が垂直耐久補強バー４、１１または水平耐久補強バー５、１２と接合する耐久補強バー３、１０として機能し、スペース９に接着ユニットを介在させて仕切り壁１、７が一体成型される半プレハブ式壁において、仕切り壁１、７の面上の格子ラック２、６の間には中間支持バー１４を有し、中間支持バー１４は一方の側に、格子ラック２の一部に挿入又は折り畳み可能に構成された開閉可能な先端部１６を有する屈曲した端部が形成され、他方の側に、先端部１８が格子ラック６の一部に付着できる屈曲部１７を有する。【選択図】図１
2019196699.tif 000002
【特許請求の範囲】
【請求項１】
互いに離れて設置された左側仕切り壁（１）と右側仕切り壁（７）を有し、
左側仕切り壁（１）は、滑らかなまたは粗い、前面または後面の一方に格子ラック（２）を備える、長い平坦なパネル状に成型されたコンクリート壁パネル、混合コンクリート壁パネル、オートクレーブ気泡コンクリート壁パネル、またはその他の所定材料製の壁パネルからなり、
格子ラック（２）は、一部が左側仕切り壁（１）に内蔵され、他部が左側仕切り壁（１）より突出する、格子または格子枠からなり、
格子ラック（２）における左側仕切り壁（１）からの突出部は、少なくとも２本の突出部耐久補強バー（３）が少なくとも１本の垂直耐久補強バー（４）または少なくとも１本の水平耐久補強バー（５）と接合し、さらには、少なくとも１本の垂直耐久補強バー（４）には、追加的水平耐久補強バー（８）が接合し、接着ユニットを介して、右側仕切り壁（７）の面上に存在する格子ラック（６）に接着することができるように成型され、
右側仕切り壁（７）は、滑らかなまたは粗い、前面または後面の一方に格子ラック（６）を備える、長い平坦なパネル状に成型されたコンクリート壁パネル、混合コンクリート壁パネル、オートクレーブ気泡コンクリート壁パネル、またはその他の所定材料製の壁パネルからなり、
格子ラック（６）は、一部が右側仕切り壁（７）に内蔵され、他部が右側仕切り壁（７）より突出する、格子または格子枠からなり、
格子ラック（６）における右側仕切り壁（７）からの突出部は、少なくとも２本の突出部耐久補強バー（１０）が少なくとも１本の垂直耐久補強バー（１１）または少なくとも１本の水平耐久補強バー（１２）と接合し、さらには、少なくとも１本の垂直耐久補強バー（１１）には、追加的水平耐久補強バー（１３）が接合し、接着ユニットを介して、左側仕切り壁（１）の面上に存在する格子ラック（２）に接着することができるように成型され、
左右両側の仕切り壁（１、７）の間のスペース（９）に、接着ユニットを介在させることによって、左側仕切り壁（１）と右側仕切り壁（７）が一体に成型される半プレハブ式壁において、
左右両側の仕切り壁（１、７）の間のスペース（９）には、少なくとも１本の中間支持バー（１４）を有し、
中間支持バー（１４）は、一方の側に開閉可能な先端部（１６）を有する屈曲した端部（１５）が形成された長いバーからなり、
中間支持バー（１４）の先端部（１６）は、垂直耐久補強バー（４）または水平耐久補強バー（５）または追加的水平耐久補強バー（８）に挿入もしくはそれに対し折り畳み可能に構成され、
中間支持バー（１４）の他方の側は、屈曲部（１７）を有し、他方の側の先端部（１８）が垂直耐久補強バー（１１）または水平耐久補強バー（１２）または追加的水平耐久補強バー（１３）に付着する鉤状に形成されていることを特徴とする半プレハブ式壁。
【請求項２】
左右両側の仕切り壁（１、７）の間の中間支持バー（１４）の屈曲した端部（１５）が、垂直耐久補強バー（４）または水平耐久補強バー（５）または追加的水平耐久補強バー（８）に挿入またはそれに対し折り畳まれた状態で、その接合部と共に接着ユニットを介して、封止されるようにしたことを特徴とする請求項１に記載の半プレハブ式壁。
【請求項３】
左右両側の仕切り壁（１、７）の間の中間支持バー（１４）の鉤状の先端部（１８）が、垂直耐久補強バー（１１）または水平耐久補強バー（１２）または追加的水平耐久補強バー（１３）に付着した状態で、その接合部と共に接着ユニットを介して、封止されるようにしたことを特徴とする請求項１に記載の半プレハブ式壁。
【発明の詳細な説明】
【技術分野】
【０００１】
本発明は、建設に用いられる半プレハブ式壁に関する。
【背景技術】
【０００２】
図２に従来の建設用半プレハブ式壁を示す。従来の半プレハブ式壁は、互いに離れて設置された左側仕切り壁２１と右側仕切り壁２７を有する。
左側仕切り壁２１は、滑らかなまたは粗い、前面または後面の一方に格子ラック２２を備える、長い平坦なパネル状に成型されたコンクリート壁パネル、混合コンクリート壁パネル、オートクレーブ気泡コンクリート壁パネル、またはその他の所定材料製の壁パネルで構成される。
格子ラック２２は、一部が左側仕切り壁２１に内蔵され、他部が左側仕切り壁２１より突出する、格子または格子枠で構成される。格子ラック２２における左側仕切り壁２１からの突出部は、耐久補強バー２３として機能する。少なくとも２本の突出部耐久補強バー２３は、少なくとも１本の垂直耐久補強バー２４または少なくとも１本の水平耐久補強バー２５と接合する。
垂直耐久補強バー２４は、突出部耐久補強バー２３または水平耐久補強バー２５と接合する垂直結合耐久補強バーとして用いられ、左側仕切り壁２１の面上に存在する格子ラック２２における垂直支持バーとして機能する。また、垂直耐久補強バー２４は、例えばセメント等の接着ユニットを介して、右側仕切り壁２７の面上に存在する格子ラック２６に接着することができるように成型されている。
水平耐久補強バー２５は、突出部耐久補強バー２３または垂直耐久補強バー２４と接合する水平結合耐久補強バーとして用いられ、左側仕切り壁２１の面上に存在する格子ラック２２における水平支持バーとして機能する。また、水平耐久補強バー２５は、例えばセメント等の接着ユニットを介して、右側仕切り壁２７の面上に存在する格子ラック２６に接着することができるように成型されている。
さらには、垂直耐久補強バー２４には、追加的水平耐久補強バー２８が設けられる。追加的水平耐久補強バー２８は、少なくとも１本の垂直耐久補強バー２４と接合して左側仕切り壁２１の面上に存在する格子ラック２２における追加的水平支持バーとして機能する。また、追加的水平耐久補強バー２８は、例えばセメント等の接着ユニットを介して、右側仕切り壁２７の面上に存在する格子ラック２６に接着することができるように成型されている。
【０００３】
右側仕切り壁２７は、滑らかなまたは粗い、前面または後面の一方に格子ラック２６を備える、長い平坦なパネル状に成型されたコンクリート壁パネル、混合コンクリート壁パネル、オートクレーブ気泡コンクリート壁パネル、またはその他の所定材料製の壁パネルで構成される。
格子ラック２６は、一部が右側仕切り壁２７に内蔵され、他部が右側仕切り壁２７より突出する、格子または格子枠で構成される。格子ラック２６における右側仕切り壁２７からの突出部は、耐久補強バー３０として機能する。少なくとも２本の突出部耐久補強バー３０は、少なくとも１本の垂直耐久補強バー３１または少なくとも１本の水平耐久補強バー３２と接合する。
垂直耐久補強バー３１は、突出部耐久補強バー３０または水平耐久補強バー３２と接合する垂直結合耐久補強バーとして用いられ、右側仕切り壁２７の面上に存在する格子ラック２６における垂直支持バーとして機能する。また、垂直耐久補強バー３１は、例えばセメント等の接着ユニットを介して、左側仕切り壁２１の面上に存在する格子ラック２２に接着することができるように成型されている。
水平耐久補強バー３２は、突出部耐久補強バー３０または垂直耐久補強バー３１と接合する水平結合耐久補強バーとして用いられ、右側仕切り壁２７の面上に存在する格子ラック２６における水平支持バーとして機能する。また、水平耐久補強バー３２は、例えばセメント等の接着ユニットを介して、左側仕切り壁２１の面上に存在する格子ラック２２に接着することができるように成型されている。
さらには、垂直耐久補強バー３１には、追加的水平耐久補強バー３３が設けられる。追加的水平耐久補強バー３３は、少なくとも１本の垂直耐久補強バー３１と接合して右側仕切り壁２７の面上に存在する格子ラック２６における追加的水平支持バーとして機能する。また、追加的水平耐久補強バー３３は、例えばセメント等の接着ユニットを介して、左側仕切り壁２１の面上に存在する格子ラック２２に接着することができるように成型されている。
そして、右側仕切り壁２７と左側仕切り壁２１は、格子ラック２６、２２を用いて、間のスペース２９に、例えばセメント等の接着ユニットを介在させることによって、一体に成型されるようになっている。
【０００４】
左側仕切り壁２１における一部の格子ラック２２が突出している側とは反対側には、長いチューブをなす少なくとも１本の倒壊防止バー３４を備えている。倒壊防止バー３４は、その下端部を左側仕切り壁２１が建造されるべき場所に垂下した状態に設けられ、左側仕切り壁２１の倒壊を防止している。
右側仕切り壁２７における一部の格子ラック２６が突出している側とは反対側には、長いチューブをなす少なくとも１本の倒壊防止バー３５を備えている。倒壊防止バー３５は、その下端部を右側仕切り壁２７が建造されるべき場所に垂下した状態に設けられ、右側仕切り壁２７の倒壊を防止している。
【発明の概要】
【発明が解決しようとする課題】
【０００５】
本発明の目的は、左右両側の仕切り壁同士の間隔を長手方向全域にわたって全く同じに保つことができ、左右両側の仕切り壁が、仕切り壁同士を一体成型する工程を行う間に傾くことを防止可能な半プレハブ式壁を提供することである。
【課題を解決するための手段】
【０００６】
上記課題を解決するため、本発明による半プレハブ式壁は、互いに離れて設置された左側仕切り壁１と右側仕切り壁７を有し、左側仕切り壁１は、格子ラック２を備え、格子ラック２は、一部が左側仕切り壁１に内蔵され、他部が垂直耐久補強バー４または水平耐久補強バー５と接合する突出部耐久補強バー３として機能し、また、格子ラック２における左側仕切り壁１からの突出部は、接着ユニットを介して、右側仕切り壁７の面上に存在する格子ラック６に接着することができるように成型され、右側仕切り壁７は、格子ラック６を備え、格子ラック６は、一部が右側仕切り壁７に内蔵され、他部が垂直耐久補強バー１１または水平耐久補強バー１２と接合する突出部耐久補強バー１０として機能し、また、格子ラック６における右側仕切り壁７からの突出部は、接着ユニットを介して、左側仕切り壁１の面上に存在する格子ラック２に接着することができるように成型された半プレハブ式壁において、左側仕切り壁１の面上に存在する格子ラック２と右側仕切り壁７の面上に存在する格子ラック６との間には中間支持バー１４を有し、中間支持バー１４は、一方の側に開閉可能な先端部１６を有する屈曲した端部が形成された長いバーからなり、中間支持バー１４の先端部１６は、左側仕切り壁１の面上に存在する格子ラック２の一部に挿入またはそれに対し折り畳み可能に構成され、左右両側の仕切り壁１、７の間の中間支持バー１４の他方の側は、屈曲部１７を有し、他方の側の先端部１８が右仕切り壁７の面上に存在する格子ラック６の一部に付着できるように形成されていることを特徴とする。
【０００７】
また、本発明の半プレハブ式壁においては、左右両側の仕切り壁１、７の間の中間支持バー１４の屈曲した端部１５が、垂直耐久補強バー４または水平耐久補強バー５または追加的水平耐久補強バー８に挿入またはそれに対し折り畳まれた状態で、その接合部と共に接着ユニットを介して、封止されるようにするのが好ましい。
【０００８】
また、本発明の半プレハブ式壁においては、左右両側の仕切り壁１、７の間の中間支持バー１４の鉤状の先端部１８が、垂直耐久補強バー１１または水平耐久補強バー１２または追加的水平耐久補強バー１３に付着した状態で、その接合部と共に接着ユニットを介して、封止されるようにするのが好ましい。
【発明の効果】
【０００９】
本発明によれば、左右両側の仕切り壁同士の間隔を長手方向全域にわたって全く同じに保つことができ、左右両側の仕切り壁が、仕切り壁同士を一体成型する工程を行う間に傾くことを防止可能な半プレハブ式壁が得られる。
【図面の簡単な説明】
【００１０】
【図１】図１は本発明の実施形態にかかる半プレハブ式壁の一例を示す説明図である。
【図２】従来の建設用半プレハブ式壁の一例を示す説明図である。
【発明を実施するための形態】
【００１１】
図１は本発明の実施形態にかかる半プレハブ式壁の一例を示す説明図である。
本実施形態の半プレハブ式壁は、互いに離れて設置された左側仕切り壁１と右側仕切り壁７を有する。
左側仕切り壁１は、滑らかなまたは粗い、前面または後面の一方に格子ラック２を備える、長い平坦なパネル状に成型されたコンクリート壁パネル、混合コンクリート壁パネル、オートクレーブ気泡コンクリート壁パネル、またはその他の所定材料製の壁パネルで構成される。
格子ラック２は、一部が左側仕切り壁１に内蔵され、他部が左側仕切り壁１より突出する、格子または格子枠で構成される。格子ラック２における左側仕切り壁１からの突出部は耐久補強バー３として機能する。少なくとも２本の突出部耐久補強バー３は、少なくとも１本の垂直耐久補強バー４または少なくとも１本の水平耐久補強バー５と接合する。
垂直耐久補強バー４は、突出部耐久補強バー３または水平耐久補強バー５と接合する垂直結合耐久補強バーとして用いられ、左側仕切り壁１の面上に存在する格子ラック２における垂直支持バーとして機能する。また、垂直耐久補強バー４は、例えばセメント等の接着ユニットを介して、右側仕切り壁７の面上に存在する格子ラック６に接着することができるように成型されている。
水平耐久補強バー５は、突出部耐久補強バー３または垂直耐久補強バー４と接合する水平結合耐久補強バーとして用いられ、左側仕切り壁１の面上に存在する格子ラック２における水平支持バーとして機能する。また、水平耐久補強バー５は、例えばセメント等の接着ユニットを介して、右側仕切り壁７の面上に存在する格子ラック６に接着することができるように成型されている。
さらには、垂直耐久補強バー４には、追加的水平耐久補強バー８が設けられる。追加的水平耐久補強バー８は、少なくとも１本の垂直耐久補強バー４と接合して左側仕切り壁１の面上に存在する格子ラック２における追加的水平支持バーとして機能する。また、追加的水平耐久補強バー８は、例えばセメント等の接着ユニットを介して、右側仕切り壁７の面上に存在する格子ラック６に接着することができるように成型されている。
【００１２】
右側仕切り壁７は、滑らかなまたは粗い、前面または後面の一方に格子ラック６を備える、長い平坦なパネル状に成型されたコンクリート壁パネル、混合コンクリート壁パネル、オートクレーブ気泡コンクリート壁パネル、またはその他の所定材料製の壁パネルで構成される。
格子ラック６は、一部が右側仕切り壁７に内蔵され、他部が右側仕切り壁７より突出している格子または格子枠で構成される。格子ラック６における右側仕切り壁７からの突出部は、耐久補強バー１０として機能する。少なくとも２本の突出部耐久補強バー１０は、少なくとも１本の垂直耐久補強バー１１または少なくとも１本の水平耐久補強バー１２と接合する。
垂直耐久補強バー１１は、突出部耐久補強バー１０または水平耐久補強バー１２と接合する垂直結合耐久補強バーとして用いられ、右側仕切り壁７の面上に存在する格子ラック６における垂直支持バーとして機能する。また、垂直耐久補強バー１１は、例えばセメント等の接着ユニットを介して、左側仕切り壁１の面上に存在する格子ラック２に接着することができるように成型されている。
水平耐久補強バー１２は、突出部耐久補強バー１０または垂直耐久補強バー１１と接合する水平結合耐久補強バーとして用いられ、右側仕切り壁７の面上に存在する格子ラック６における水平支持バーとして機能する。また、水平耐久補強バー１２は、例えばセメント等の接着ユニットを介して、左側仕切り壁１の面上に存在する格子ラック２に接着することができるように成型されている。
さらには、垂直耐久補強バー１１には、追加的水平耐久補強バー１３が設けられる。追加的水平耐久補強バー１３は、少なくとも１本の垂直耐久補強バー１１と接合して右側仕切り壁７の面上に存在する格子ラック６における追加的水平支持バーとして機能する。また、追加的水平耐久補強バー１３は、例えばセメント等の接着ユニットを介して、左側仕切り壁１の面上に存在する格子ラック２に接着することができるように成型されている。
そして、右側仕切り壁７と左側仕切り壁１は、格子ラック６、２を用いて、間のスペース９に、例えばセメント等の接着ユニットを介在させることによって、一体に成型されるようになっている。
【００１３】
ここで、本実施形態の半プレハブ壁では、左右両側の仕切り壁１、７の間のスペース９には、少なくとも１本の中間支持バー１４が設けられている。中間支持バー１４は、一方の側に開閉可能な先端部１６を有する屈曲した端部１５が形成された長いバーで構成されている。
中間支持バー１４の先端部１６は、垂直耐久補強バー４または水平耐久補強バー５または追加的水平耐久補強バー８に挿入もしくはそれに対し折り畳み可能に構成されている。
中間支持バー１４の他方の側は、屈曲部１７を有し、他方の側の先端部１８が垂直耐久補強バー１１または水平耐久補強バー１２または追加的水平耐久補強バー１３に付着する鉤状に形成されている。
また、本実施形態の半プレハブ壁においては、好ましくは、左右両側の仕切り壁１、７の間の中間支持バー１４の屈曲した端部１５は、垂直耐久補強バー４または水平耐久補強バー５または追加的水平耐久補強バー８に挿入またはそれに対し折り畳まれた状態で、左右両側の仕切り壁１、７の間の支持バー１４の一方の側における強度を補強するため、その接合部と共に接着ユニットを介して、封止されるようになっている。
また、本実施形態の半プレハブ壁においては、好ましくは、左右両側の仕切り壁１、７の間の中間支持バー１４の鉤状の先端部１８は、垂直耐久補強バー１１または水平耐久補強バー１２または追加的水平耐久補強バー１３に付着した状態で、左右両側の仕切り壁１、７の間の中間支持バー１４の他方の側における強度を補強するため、その接合部と共に接着ユニットを介して、封止されるようになっている。
【００１４】
本実施形態の半プレハブ壁によれば、左右両側の仕切り壁１、７の間のスペース９には、少なくとも１本の中間支持バー１４を有し、中間支持バー１４が、一方の側に開閉可能な先端部１６を有する屈曲した端部１５が形成された長いバーからなり、中間支持バー１４の先端部１６が、垂直耐久補強バー４または水平耐久補強バー５または追加的水平耐久補強バー８に挿入もしくはそれに対し折り畳み可能に構成され、中間支持バー１４の他方の側は、屈曲部１７を有し、他方の側の先端部１８が垂直耐久補強バー１１または水平耐久補強バー１２または追加的水平耐久補強バー１３に付着する鉤状に形成された構成としたので、左右両側の仕切り壁１、７同士の間隔を長手方向全域にわたって全く同じに保つことができ、左右両側の仕切り壁１、７が、仕切り壁同士を一体成型する工程を行う間に傾くことを防止できる。
【００１５】
また、本実施形態の半プレハブ壁によれば、左右両側の仕切り壁１、７の間の中間支持バー１４の屈曲した端部１５が、垂直耐久補強バー４または水平耐久補強バー５または追加的水平耐久補強バー８に挿入またはそれに対し折り畳まれた状態で、その接合部と共に接着ユニットを介して、封止されるようにしたので、左右両側の仕切り壁１、７の間の支持バー１４の一方の側における強度を補強することができ、左右両側の仕切り壁１、７同士の間隔を長手方向全域にわたって全く同じに保ち、左右両側の仕切り壁１、７が、仕切り壁同士を一体成型する工程を行う間に傾くことを防止する効果をより強めることができる。
【００１６】
また、本実施形態の半プレハブ壁によれば、左右両側の仕切り壁１、７の間の中間支持バー１４の鉤状の先端部１８が、垂直耐久補強バー１１または水平耐久補強バー１２または追加的水平耐久補強バー１３に付着した状態で、その接合部と共に接着ユニットを介して、封止されるようにしたので、左右両側の仕切り壁１、７の間の中間支持バー１４の他方の側における強度を補強することができ、左右両側の仕切り壁１、７同士の間隔を長手方向全域にわたって全く同じに保ち、左右両側の仕切り壁１、７が、仕切り壁同士を一体成型する工程を行う間に傾くことを防止する効果をより強めることができる。
【００１７】
このため、本実施形態の半プレハブ壁によれば、左右両側の仕切り壁同士の間隔を長手方向全域にわたって全く同じに保つことができ、左右両側の仕切り壁が、仕切り壁同士を一体成型する工程を行う間に傾くことを防止可能な半プレハブ式壁が得られる。
【産業上の利用可能性】
【００１８】
本発明の半プレハブ壁は、１つの面に格子ラックを備えた、長い平坦なパネル状に成型されたコンクリート壁パネル、混合コンクリート壁パネル、オートクレーブ気泡コンクリート壁パネル、または好適な材料製の壁パネルで構成される、仕切り壁を、間隔をあけて設置し、仕切り壁の間のスペースに接着ユニットを介在させて仕切り壁同士を一体成型する工程を行うことが求められる分野に有用である。
【符号の説明】
【００１９】
１          左側仕切り壁
２          （左側）格子ラック
３          （左側）突出部耐久補強バー
４          （左側）垂直耐久補強バー
５          （左側）水平耐久補強バー
６          （右側）格子ラック
７          右側仕切り壁
８          （左側）追加的水平耐久補強バー
９          右側仕切り壁と左側仕切り壁との間のスペース
１０        （右側）突出部耐久補強バー
１１        （右側）垂直耐久補強バー
１２        （右側）水平耐久補強バー
１３        （右側）追加的水平耐久補強バー
１４        中間支持バー
１５        屈曲した端部
１６        開閉可能な先端部
１７        屈曲部
１８        鉤状の先端部
２１        左側仕切り壁
２２        （左側）格子ラック
２３        （左側）突出部耐久補強バー
２４        （左側）垂直耐久補強バー
２５        （左側）水平耐久補強バー
２６        （右側）格子ラック
２７        右側仕切り壁
２８        （左側）追加的水平耐久補強バー
２９        右側仕切り壁と左側仕切り壁との間のスペース
３０        （右側）突出部耐久補強バー
３１        （右側）垂直耐久補強バー
３２        （右側）水平耐久補強バー
３３        （右側）追加的水平耐久補強バー
３４        （左側）倒壊防止バー
３５        （右側）倒壊防止バー
【図１】
2019196699.tif 000003
【図２】
2019196699.tif 000004